Podtech/llm-jp-corpus-v4-ja_patent huggingface dataset:
【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
第1の接合表面および反対側の第2の表面と、
第1の横縁部、第2の横縁部、下縁部、および上縁部と、
心臓弁の弁輪の面内にあるように構成された上側区域、ならびに前記第1の接合表面および前記反対側の第2の表面を備える下側区域とを備え、
前記下側区域の厚さが前記上側区域の一部分の厚さよりも厚いように、前記下側区域が積層体を備える、心臓の心臓弁の接合不全を治療するための接合補助要素。
【請求項２】
前記積層体がePTFEを含む、請求項1に記載の接合補助要素。
【請求項３】
前記下側区域の前記厚さが、前記上側区域の前記一部分の前記厚さよりも少なくとも約25%厚い、請求項1に記載の接合補助要素。
【請求項４】
前記下側区域の前記厚さが、前記上側区域の前記一部分の前記厚さよりも少なくとも約50%厚い、請求項1に記載の接合補助要素。
【請求項５】
前記接合補助要素の周縁部が、前記接合補助要素の周りを部分的にのみ取り囲む隆起した非外傷性縁部を備える、請求項1に記載の接合補助要素。
【請求項６】
前記接合補助要素の前記周縁部が、前記接合補助要素の前記下側区域のみを取り囲む隆起した非外傷性縁部を備える、請求項5に記載の接合補助要素。
【請求項７】
前記隆起した縁部が縫合糸を含む、請求項5に記載の接合補助要素。
【請求項８】
前記接合補助要素の前記周縁部が、前記接合補助要素の上側区域のみの前記周縁部から径方向外向きに延在する離隔した返しを備える、請求項5に記載の接合補助要素。
【請求項９】
前記第1の横縁部、前記第2の横縁部、前記下縁部、および前記上縁部それぞれから内向きに離隔されたハブと、
前記ハブに結合するように構成され、能動アンカーを第1の標的位置で選択的に配備するために前記ハブに対して回転させられるように構成された、能動アンカーと、
前記ハブの周りで離隔されると共に前記ハブから外向きに延在する複数の支柱であって、少なくとも、前記第1の接合表面が前記心臓弁の第1の弁尖と接合し、前記反対側の第2の表面が前記心臓弁の第2の弁尖の上に重なるようにして、前記心臓内に埋め込まれるように構成された第1の支柱と、前記心臓内に埋め込まれるように構成された第2の支柱とを備える、複数の支柱とを更に備える、請求項1に記載の接合補助要素。
【請求項１０】
前記接合補助要素がメッシュ層を含む、請求項1に記載の接合補助要素。
【請求項１１】
第1の横縁部、第2の横縁部、下縁部、および上縁部によってそれぞれ境界が定められた、第1の表面および反対側の第2の表面と、
ハブと、
前記ハブの周りで離隔されると共に前記ハブから外向きに延在する複数の支柱であって、少なくとも、弁輪の上方で心臓内に埋め込まれるように構成された第1の支柱と、前記弁輪の面を横断して心臓内に埋め込まれるように構成された第2の支柱とを備える、複数の支柱とを備える、弁輪を有する心臓弁の接合不全を治療するための接合補助要素。
【請求項１２】
前記接合補助要素が少なくとも1つのePTFE層を備える、請求項11に記載の接合補助要素。
【請求項１３】
前記接合補助要素が少なくとも1つのメッシュ層を備える、請求項11または12に記載の接合補助要素。
【請求項１４】
前記接合補助要素が少なくとも1つのUHMWPEメッシュ層を備える、請求項11から13のいずれか一項に記載の接合補助要素。
【請求項１５】
前記接合補助要素が少なくとも1つの布地層を備える、請求項11から14のいずれか一項に記載の接合補助要素。
【請求項１６】
前記接合補助要素が少なくとも1つのポリエステル布地層を備える、請求項11から15のいずれか一項に記載の接合補助要素。
【請求項１７】
前記第1の表面が補強された、請求項11から16のいずれか一項に記載の接合補助要素。
【請求項１８】
前記第2の表面が補強された、請求項11から17のいずれか一項に記載の接合補助要素。
【請求項１９】
心室表面が補強された、請求項11から18のいずれか一項に記載の接合補助要素。
【請求項２０】
接合表面が補強された、請求項11から19のいずれか一項に記載の接合補助要素。
【請求項２１】
アンカー区域が補強された、請求項11から20のいずれか一項に記載の接合補助要素。
【請求項２２】
少なくとも1つの縁部が隆起した縁部を含む、請求項11から21のいずれか一項に記載の接合補助要素。
【請求項２３】
前記接合補助要素が後尖との接触を最小限に抑えるように構成された、請求項11から22のいずれか一項に記載の接合補助要素。
【請求項２４】
前記接合補助要素が前記弁輪を係合し前記弁輪内に埋め込まれるように構成された、請求項11から23のいずれか一項に記載の接合補助要素。
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
統合されたサービス・ケイパビリティ・エクスポージャ・ファンクション（SCEF）、サービス・ケイパビリティ・サーバー（SCS）およびアプリケーション・サーバー（AS）機能を提供するためのシステムであって、前記システムは、
少なくとも１つのプロセッサを含むコンピューティングプラットフォームと、
SCEFサービスを提供し、受信されたメッセージの内容に基づき物のインターネット（IoT）サービス処理を呼び出すかどうかを決定するために、前記少なくとも１つのプロセッサによって実行されるセルラデバイス接続（CDC）サービスモジュールと、
前記CDCサービスモジュールによってIoTサービス処理を必要とすると識別された受信されたメッセージに対してSCSおよびASサービスを提供するために前記少なくとも１つのプロセッサによって実行される物のインターネット（IoT）サービスモジュールとを備える、システム。
【請求項２】
前記CDCサービスモジュールは、受信されたメッセージ内のアクセスポイント名または他のパラメータに基づき前記IoTサービスモジュールによってIoTサービス処理を呼び出すか否かを決定するように構成される、請求項１に記載のシステム。
【請求項３】
前記CDCサービスモジュールは、インターネットプロトコル（IP）およびnon-IPデバイスのためのイベント監視を行うように構成される、請求項１に記載のシステム。
【請求項４】
前記CDCサービスモジュールは、マシンタイプコミュニケーション・インターワーキングファンクション（MTC-IWF）として機能するように構成される、請求項１に記載のシステム。
【請求項５】
前記CDCサービスモジュールは、セルラ通信ネットワーク内のDiameterノードとSCSおよびASハンドラとの間の通信の中心点として機能するためのセッションハンドラを含む、請求項１に記載のシステム。
【請求項６】
前記CDCサービスモジュールは、前記CDCサービスモジュールに接続されたデバイスの状態を格納するためのデバイス状態データベースを含む、請求項１に記載のシステム。
【請求項７】
前記IoTサービスモジュールは、IoTデバイスを仮想化し前記IoTデバイスと接続するための接続モジュールを含む、請求項１に記載のシステム。
【請求項８】
サービス・ケイパビリティ・エクスポージャ・ファンクション（SCEF）、サービス・ケイパビリティ・サーバー（SCS）およびアプリケーション・サーバー（AS）機能を提供するための方法であって、前記方法は、
SCEFサービスを実行し、受信されたメッセージの内容に基づき物のインターネット（IoT）サービス処理を呼び出すかどうかを決定するためのセルラデバイス接続（CDC）サービスモジュールを提供することと、
前記CDCサービスモジュールによってIoTサービス処理を必要とすると識別された受信されたメッセージに対してSCSおよびASサービスを実行するための物のインターネット（IoT）サービスモジュールを提供することとを備え、
前記CDCサービスモジュールおよび前記IoTサービスモジュールを提供することは、前記CDCサービスモジュールおよび前記IoTサービスモジュールを、少なくとも１つのプロセッサを含むコンピューティングプラットフォーム上に提供することを備え、少なくとも１つのプロセッサは、前記CDCサービスモジュールおよび前記IoTサービスモジュールを実行する、方法。
【請求項９】
前記CDCサービスモジュールにおいて、受信されたメッセージ内のアクセスポイント名に基づき前記IoTサービスモジュールによってIoTサービス処理を呼び出すか否かを決定することをさらに備える、請求項８に記載の方法。
【請求項１０】
前記CDCサービスモジュールにおいて、インターネットプロトコル（IP）およびnon-IPデバイスのためのイベント監視を行うことをさらに備える、請求項８に記載の方法。
【請求項１１】
前記CDCサービスモジュールにおいて、マシンタイプコミュニケーション・インターワーキングファンクション（MTC-IWF）として機能することをさらに備える、請求項８〜１０のいずれかに記載の方法。
【請求項１２】
前記CDCサービスモジュールにおいて、セルラ通信ネットワーク内のDiameterノードとSCSおよびASハンドラとの間の通信の中心点として機能するセッションハンドラを提供することをさらに備える、請求項８〜１１のいずれかに記載の方法。
【請求項１３】
前記CDCサービスモジュールにおいて、前記CDCサービスモジュールに接続されたデバイスの状態を格納するためのデバイス状態データベースを提供することをさらに備える、請求項８〜１２のいずれかに記載の方法。
【請求項１４】
前記IoTサービスモジュールにおいて、IoTデバイスを仮想化し前記IoTデバイスと接続するための接続モジュールを提供することをさらに備える、請求項８〜１３のいずれかに記載の方法。
【請求項１５】
請求項８〜１４のいずれかに記載の方法をコンピュータのプロセッサに実行させるためのプログラム。
【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
Diameterルーティングエージェント（DRA）特徴としてサービス・ケイパビリティ・エクスポージャ・ファンクション（SCEF）を提供するためのシステムであって、前記システムは、
複数のメッセージプロセッサを含むDRAと、
前記DRAの特徴としてSCEFサービスを提供するために、前記DRAと動作可能に関連付けられたセルラデバイス接続（CDC）サービスモジュールとを備え、前記SCEFサービスは、受信されたメッセージの内容に基づき物のインターネット（IoT）サービス処理を呼び出すかどうかを決定することと、IoTサービスを必要とするメッセージを、前記IoTサービス処理を受信するためのサービス・ケイパビリティ・サーバー（SCS）またはアプリケーション・サーバー（AS）に転送することとを含む、システム。
【請求項２】
前記CDCサービスモジュールは、クラウド配備されたサービスとして実装され、前記DRAは、前記DRAのユーザに対して透過的に前記CDCサービスモジュールにアクセスするためのCDCサービスインターフェースを含む、請求項１に記載のシステム。
【請求項３】
前記CDCサービスモジュールは、前記DRAの前記メッセージプロセッサのうちの１つで実装される、請求項１または２に記載のシステム。
【請求項４】
前記CDCサービスモジュールは、DiameterネットワークノードとのDiameterシグナリングを使用してインターネットプロトコル（IP）およびnon−IPトラフィックのためのイベント監視を行うように構成される、請求項１〜３のいずれかに記載のシステム。
【請求項５】
前記受信されたメッセージのうちの少なくともいくつかに対してSCSおよびASサービスを提供するための前記メッセージプロセッサのうちの１つによって実装されたIoTサービスモジュールをさらに備える、請求項１〜４のいずれかに記載のシステム。
【請求項６】
前記DRAとは別個のコンピューティングプラットフォームをさらに備え、IoTサービスモジュールは、前記受信されたメッセージのうちの少なくともいくつかに対してSCSおよびASサービスを提供するために前記コンピューティングプラットフォーム上に実装される、請求項１〜５のいずれかに記載のシステム。
【請求項７】
Diameterルーティングエージェント（DRA）特徴としてサービス・ケイパビリティ・エクスポージャ・ファンクション（SCEF）を提供するための方法であって、前記方法は、
複数のメッセージプロセッサを含むDRAを提供することと、
前記DRAの特徴としてSCEFサービスを提供するために、前記DRAと動作可能に関連付けられたセルラデバイス接続（CDC）サービスモジュールを提供することとを備え、前記SCEFサービスは、受信されたメッセージの内容に基づき物のインターネット（IoT）サービス処理を呼び出すかどうかを決定することと、IoTサービスを必要とするメッセージを、前記IoTサービス処理を受信するためのサービス・ケイパビリティ・サーバー（SCS）またはアプリケーション・サーバー（AS）に転送することとを含む、方法。
【請求項８】
前記CDCサービスモジュールを提供することは、前記CDCサービスモジュールをクラウド配備されたサービスとして提供することを含み、前記DRAを提供することは、前記DRAのユーザに対して透過的に前記CDCサービスモジュールにアクセスするためのCDCサービスインターフェースを前記DRAの特徴として提供することを含む、請求項７に記載の方法。
【請求項９】
前記SCSおよび前記ASは、クラウドベースのサービスであり、前記方法はさらに、前記CDCサービスインターフェースによって、前記SCSおよびASへのアクセスを前記DRAの前記ユーザに対して透過的に提供することを備える、請求項８に記載の方法。
【請求項１０】
前記CDCサービスモジュールへの前記インターフェースを提供することは、前記CDCサービスモジュールへのDiameterインターフェースを提供することを含む、請求項８または９に記載の方法。
【請求項１１】
前記CDCサービスモジュールへの前記インターフェースを提供することは、前記CDCサービスモジュールへのウェブサービスインターフェースを提供することを備える、請求項８または９に記載の方法。
【請求項１２】
前記CDCサービスモジュールを提供することは、前記DRAの前記メッセージプロセッサのうちの１つで前記CDCサービスモジュールを実装することを含む、請求項７〜１１のいずれかに記載の方法。
【請求項１３】
DiameterネットワークノードとのDiameterシグナリングを使用してインターネットプロトコル（IP）およびnon−IPトラフィックのためのイベント監視を行うことを備える、請求項７〜１２のいずれかに記載の方法。
【請求項１４】
前記受信されたメッセージのうちの少なくともいくつかに対してSCSおよびASサービスを提供するための前記メッセージプロセッサのうちの１つによってまたは前記DRAとは別個に実装されたコンピューティングプラットフォームによってIoTサービスモジュールを提供することをさらに備える、請求項７〜１３のいずれかに記載の方法。
【請求項１５】
請求項７〜１４のいずれかに記載の方法をコンピュータのプロセッサに実行させるためのプログラム。
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
半導体層と、
前記半導体層の上方に配置される、接着層と、
前記接着層の上方に配置される、アノード金属層と、
前記アノード金属層を覆い前記アノード金属層上に配置される、カソード金属層と、を備え、
前記カソード金属層は、銅（Ｃｕ）を含み、
前記アノード金属層は、前記カソード金属層の側壁から前記アノード金属層の側壁へ離れるように延在する表面を有し、
前記アノード金属層および前記カソード金属層は、前記アノード金属層の前記表面が前記カソード金属層の前記側壁と同じ周囲環境に曝されるように構成される、半導体構造。
【請求項２】
前記アノード金属層は、マグネシウム（Ｍｇ）を含む、請求項１に記載の半導体構造。
【請求項３】
前記アノード金属層は、アルミニウム（Ａｌ）、亜鉛（Ｚｎ）、およびニッケル（Ｎｉ）からなる群から選択される元素を含む、請求項１に記載の半導体構造。
【請求項４】
前記アノード金属層の酸化電位は、前記カソード金属層の酸化電位よりも高い、請求項１から請求項３のいずれか１項に記載の半導体構造。
【請求項５】
前記アノード金属層は、第１金属を含み、前記カソード金属層は、第２金属を含み、前記第１金属は、前記第２金属よりも高い酸化電位を有する、請求項１から請求項４のいずれか１項に記載の半導体構造。
【請求項６】
前記第１金属は、前記第２金属よりも負の酸化物生成のギブス自由エネルギを有する、請求項５に記載の半導体構造。
【請求項７】
前記アノード金属層は、多孔質酸化物と関連する金属を含み、前記多孔質酸化物の酸化速度は、時間の関数として線形である、請求項１から請求項６のいずれか１項に記載の半導体構造。
【請求項８】
前記アノード金属層は、１．０未満の酸化物−金属体積比を有する金属を含む、請求項１から請求項７のいずれか１項に記載の半導体構造。
【請求項９】
前記アノード金属層は、前記カソード金属層にカソード防食を提供することによって前記カソード金属層と結び付く酸化物の成長を阻害するように構成される、請求項１から請求項８のいずれか１項に記載の半導体構造。
【請求項１０】
前記接着層は、チタン（Ｔｉ）を含み、前記半導体層は、シリコン（Ｓｉ）を含む、請求項１から請求項９のいずれか１項に記載の半導体構造。
【請求項１１】
前記カソード金属層は、前記アノード金属層上に直接配置される、請求項１から請求項１０のいずれか１項に記載の半導体構造。
【請求項１２】
前記カソード金属層は、１つ以上のピラーを備える、請求項１から請求項１１のいずれか１項に記載の半導体構造。
【請求項１３】
パッケージ基板と、
各々前記パッケージ基板の上方に配置される、第１ダイおよび第２ダイと、を備え、
前記第１ダイの複数の銅ピラーマイクロバンプは、前記第２ダイに電気的および機械的に接続され、
前記第１ダイは、
前記銅ピラーマイクロバンプを形成する、カソード金属層と、
前記カソード金属層を覆い前記アノード金属層上に配置される、アノード金属層と、を含み、前記アノード金属層の表面は、前記アノード金属層と前記カソード金属層との間の境界にあり、前記アノード金属層の前記表面は、前記境界から離れるように横方向に延在し、前記表面は、前記カソード金属層と同じ周囲環境に曝されるように構成され、前記第１ダイはさらに、
前記アノード金属層の上方に配置される、接着層と、
前記接着層の上方に配置される、半導体層と、を備え、
前記アノード金属層の酸化電位は、前記カソード金属層の酸化電位よりも高い、集積回路パッケージ。
【請求項１４】
前記第１ダイの前記複数の銅ピラーマイクロバンプは、前記第２ダイの複数の銅構成に直接接合される、請求項１３に記載の集積回路パッケージ。
【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
デバイスに無線充電するための送信器であって、前記送信器が、
前記デバイスに充電するための電力の誘導的伝送のための設定可能なドライバと、
前記ドライバを制御し、充電の間に前記送信器の電流および／または電圧を測定するように構成されたコントローラであって、前記コントローラが、電力水準偏位を示す測定された電流および／または電圧、あるいは、前記デバイスからの、別の電力水準の再設定を示すメッセージの受信に基づいて、動作周波数、デューティサイクル、振幅、およびそれらの何れかの組合せから成る群から選択されるドライバパラメータを用いて前記ドライバを再構成することによって提供される電力の水準を調整するように構成される、コントローラと、
を備え、
前記送信器が、前記デバイスに電力を誘導的に伝送するように構成されるリレーに、電力を誘導的に送信するように構成され、前記送信器および前記リレーが、ガルヴァーニ接続なしで媒体によって隔てられており、
前記コントローラが、許容される範囲の周波数に関するジョイント共振周波数（ＪＲＦ）の変化を決定するために、前記測定された電流および／または電圧を利用するようにさらに構成され、前記ＪＲＦが、前記送信器および前記リレーの組合せによって形成される２つの共振周波数を備える、送信器。
【請求項２】
前記送信器によって提供される電力の水準の調整が、電力伝送の中止または出力電流の調整である、請求項１に記載の送信器。
【請求項３】
前記コントローラが、ジョイント共振周波数の変化の際に電力伝送を中止するようにさらに構成され、前記コントローラが、電力伝送の再較正その後再開を行うようにさらに構成される、請求項１に記載の送信器。
【請求項４】
前記コントローラが、反射インピーダンスの変化を計算し、それに応じて前記ドライバを再構成するようにさらに構成される、請求項１に記載の送信器。
【請求項５】
デバイスに無線充電するための方法であって、前記方法が、
送信器によって、前記デバイスに電力を誘導的に伝送するリレーに電力を送信することとであって、前記送信器および前記リレーが、ガルヴァーニ接続なしで媒体によって隔てられていることと、
前記デバイスに充電している間に、前記送信器の電流および／または電圧を測定することと、
電力水準偏位を示す測定された電流および／または電圧に基づいて、動作周波数、デューティサイクル、振幅、およびそれらの何れかの組合せから成る群から選択されるドライバパラメータを用いてドライバを再構成することにより、前記送信器によって提供される電力の水準を調整することと、
許容される範囲の周波数に関するジョイント共振周波数（ＪＲＦ）の変化を決定するために、前記測定された電流および／または電圧を利用することであって、前記ＪＲＦが、前記送信器および前記リレーの組合せによって形成される２つの共振周波数を備えることと、
を備える、方法。
【請求項６】
前記送信器によって提供される電力の水準を調整することが、
電力伝送を中止することと、
出力電流を調整することと、
を備える、請求項５に記載の方法。
【請求項７】
ジョイント共振周波数の変化の際に電力伝送を中止することと、
電力伝送の再較正その後再開を行うことと、
を備える、請求項５に記載の方法。
【請求項８】
反射インピーダンスの変化を計算するために、かつ、それに応じて前記ドライバを再構成するために、前記測定された電流および／または電圧を利用すること
を備える、請求項５に記載の方法。
【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
基地局のワイヤレス通信の方法であって、
送信されたコードブロックグループ(CBG)のセットのうちのCBGのサブセットが適切に復号されることに失敗したことを示す、肯定応答/否定応答(ACK/NACK)フィードバックを、ユーザ機器(UE)から受信するステップと、
前記ACK/NACKフィードバックに基づいて、前記CBGのサブセットを再送信するステップと、
再送信されている前記CBGのサブセットを示す情報を送信するステップであって、
前記情報は、どのCBGが再送信されるかを示すCBGビットマップを含む、ステップと
を含む方法。
【請求項２】
前記CBGのサブセットが、サブフレームにおいて再送信され、第1のトランスポートブロック(TB)に対応し、前記方法が、前記サブフレームにおいて、前記UEに、新しいデータに対応する第2のTBの少なくとも一部分を送信するステップをさらに含む、請求項1に記載の方法。
【請求項３】
前記CBGのサブセットが、前記サブフレームにおける第1のシンボルのセットに対応する第1のミニスロットにおいて再送信され、前記第2のTBの前記少なくとも一部分が、前記サブフレームにおける第2のシンボルのセットに対応する第2のミニスロットにおいて送信される、請求項2に記載の方法。
【請求項４】
再送信されている前記CBGのサブセットを示す前記情報が、ダウンリンク制御情報(DCI)メッセージにおいて送信される、請求項1に記載の方法。
【請求項５】
前記DCIメッセージが、前記CBGのサブセットに対応する第1のトランスポートブロック(TB)と、新しいデータに対応する第2のTBとの間のスロット境界、または前記新しいデータに関連付けられた変調およびコーディング方式(MCS)のうちの少なくとも1つをさらに示す、請求項4に記載の方法。
【請求項６】
前記送信されたCBGのセットの各CBGにおけるコードブロック(CB)の数が、再送信されている前記CBGのサブセットの各CBGにおけるCBの数とは異なる、請求項1に記載の方法。
【請求項７】
ワイヤレス通信のための装置であって、
送信されたコードブロックグループ(CBG)のセットのうちのCBGのサブセットが適切に復号されることに失敗したことを示す、肯定応答/否定応答(ACK/NACK)フィードバックを、ユーザ機器(UE)から受信するための手段と、
前記ACK/NACKフィードバックに基づいて、前記CBGのサブセットを再送信するための手段と、
再送信されている前記CBGのサブセットを示す情報を送信するための手段であって、
前記情報は、どのCBGが再送信されるかを示すCBGビットマップを含む、手段と
を含む、装置。
【請求項８】
前記CBGのサブセットが、サブフレームにおいて再送信され、第1のトランスポートブロック(TB)に対応し、前記少なくとも1つのプロセッサが、前記サブフレームにおいて、前記UEに、新しいデータに対応する第2のTBの少なくとも一部分を送信するようにさらに構成される、請求項7に記載の装置。
【請求項９】
前記CBGのサブセットが、前記サブフレームにおける第1のシンボルのセットに対応する第1のミニスロットにおいて再送信され、前記第2のTBの前記少なくとも一部分が、前記サブフレームにおける第2のシンボルのセットに対応する第2のミニスロットにおいて送信される、請求項8に記載の装置。
【請求項１０】
ユーザ機器(UE)のワイヤレス通信の方法であって、
基地局から受信されたコードブロックグループ(CBG)のセットのうちの1つまたは複数のCBGが、前記UEにおいて適切に復号されることに失敗したと決定するステップと、
前記適切に復号されることに失敗した1つまたは複数のCBGを示す、肯定応答/否定応答(ACK/NACK)フィードバックを、前記基地局に送るステップと、
前記ACK/NACKフィードバックに応答して、前記CBGのセットのうちのCBGの再送信と、前記CBGのセットのうちの再送信されるCBGを示す情報とを、前記基地局から受信するステップであって、
前記情報は、どのCBGが再送信されるかを示すCBGビットマップを含む、ステップと
を含む方法。
【請求項１１】
前記再送信されるCBGが、第1のトランスポートブロック(TB)に対応し、前記CBGの再送信が、サブフレームにおいて受信され、前記方法が、前記サブフレームにおいて、前記基地局から、第2のTBに対応する新しいデータを受信するステップをさらに含む、請求項10に記載の方法。
【請求項１２】
前記CBGのセットのうちの前記再送信されるCBGを示す前記情報が、ダウンリンク制御情報(DCI)メッセージにおいて受信され、前記DCIメッセージが、前記CBGのセットのうちの前記再送信されるCBGに対応する第1のトランスポートブロック(TB)と、新しいデータに対応する第2のTBとの間のスロット境界、または前記新しいデータに関連付けられた変調およびコーディング方式(MCS)のうちの少なくとも1つをさらに示す、請求項10に記載の方法。
【請求項１３】
ワイヤレス通信のための装置であって、
基地局から受信されたコードブロックグループ(CBG)のセットのうちの1つまたは複数のCBGが、UEにおいて適切に復号されることに失敗したと決定するための手段と、
前記適切に復号されることに失敗した1つまたは複数のCBGを示す、肯定応答/否定応答(ACK/NACK)フィードバックを、前記基地局に送るための手段と、
前記ACK/NACKフィードバックに応答して、前記CBGのセットのうちのCBGの再送信と、前記CBGのセットのうちの再送信されるCBGを示す情報とを、前記基地局から受信するための手段であって、
前記情報は、どのCBGが再送信されるかを示すCBGビットマップを含む、手段と
を含む、装置。
【請求項１４】
前記再送信されるCBGが、第1のトランスポートブロック(TB)に対応し、前記CBGの再送信が、サブフレームにおいて受信され、前記少なくとも1つのプロセッサが、前記サブフレームにおいて、前記基地局から、第2のTBに対応する新しいデータを受信するようにさらに構成される、請求項13に記載の装置。
【請求項１５】
前記CBGのセットのうちの前記再送信されるCBGを示す前記情報が、ダウンリンク制御情報(DCI)メッセージにおいて受信され、前記DCIメッセージが、前記CBGのセットのうちの前記再送信されるCBGに対応する第1のトランスポートブロック(TB)と、新しいデータに対応する第2のTBとの間のスロット境界、または前記新しいデータに関連付けられた変調およびコーディング方式(MCS)のうちの少なくとも1つをさらに示す、請求項13に記載の装置。
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信の方法であって、
基地局からのセル固有基準信号(CRS)を求めて監視するための、サブフレーム上の監視下のリソースブロックのセットを決定するステップと、
監視下のリソースブロックの前記セットに基づいて、前記サブフレーム上で前記基地局からの前記CRSを求めて監視するステップと
を備える方法。
【請求項２】
前記サブフレームに対して、前記CRSに対する監視下のリソースブロックの前記セットが、
前記UEの帯域幅能力およびシステム帯域幅に基づくサイズを有するリソースブロックの中心セットと、
サブフレームのサブセット上の中心周波数の周辺のリソースブロックのセットとを含み、リソースブロックの個数およびサブフレームの前記サブセットが、前記基地局によってシグナリングされるか、または前記UEにおいて暗黙的に決定される、
請求項1に記載の方法。
【請求項３】
単一のトランスポートブロックのためのPUSCH送信または反復の中間のサブフレームに対する監視下のリソースブロックの前記セットが、物理アップリンク共有チャネル(PUSCH)送信のために前記UEによって使用される送信狭帯域に基づく、請求項1に記載の方法。
【請求項４】
前記CRSを求めて監視するために使用される帯域幅に関する情報を前記基地局にシグナリングするステップをさらに備え、前記情報が、前記CRSを求めて監視するための最大帯域幅を備える、
請求項1に記載の方法。
【請求項５】
監視下のリソースブロックの前記セットに基づいてCRSリソースブロックのセットを決定するステップ
をさらに備える、請求項1に記載の方法。
【請求項６】
前記CRSに対する監視下のリソースブロックの前記セットの帯域幅が、チャネルおよび割振りのうちの少なくとも1つの関数である、請求項1に記載の方法。
【請求項７】
監視下のリソースブロックの前記セットが、割振りを取り囲むいくつかのリソースブロックを備え、前記UEは、複数のサブフレームの中で前記UEがホッピングするすべての周波数にわたって、前記CRSを求めて監視する、請求項1に記載の方法。
【請求項８】
ユーザ機器(UE)におけるワイヤレス通信のための装置であって、
基地局からのセル固有基準信号(CRS)を求めて監視するための、サブフレーム上の監視下のリソースブロックのセットを決定するための手段と、
監視下のリソースブロックの前記セットに基づいて、前記サブフレーム上で前記基地局からの前記CRSを求めて監視するための手段と
を備える装置。
【請求項９】
基地局におけるワイヤレス通信の方法であって、
サブフレーム上でセル固有基準信号(CRS)をユーザ機器(UE)へ送信するための帯域幅を決定するステップであって、前記帯域幅がシステム帯域幅よりも小さい、ステップと、
前記決定された帯域幅を使用して前記CRSを前記UEへ送信するステップであって、前記UEが、監視下のリソースブロックのセット上で前記サブフレーム上の前記CRSを求めて監視し、前記帯域幅が、監視下のリソースブロックの前記セットに基づいて決定される、ステップと
を備える方法。
【請求項１０】
前記サブフレームに対して、前記CRSに対する監視下のリソースブロックの前記セットが、
前記UEの帯域幅能力およびシステム帯域幅に基づくサイズを有するリソースブロックの中心セットと、
サブフレームのサブセット上の中心周波数の周辺のリソースブロックのセットとを含み、リソースブロックの個数およびサブフレームの前記サブセットが、前記基地局によってシグナリングされるか、または前記UEにおいて暗黙的に決定される、
請求項9に記載の方法。
【請求項１１】
単一のトランスポートブロックのためのPUSCH送信または反復の中間のサブフレームに対する監視下のリソースブロックの前記セットが、物理アップリンク共有チャネル(PUSCH)送信のために前記UEによって使用される送信狭帯域に基づく、請求項9に記載の方法。
【請求項１２】
UE固有基準信号(UE-RS)ベースの通信を前記UEへ送信するステップと、
前記UE-RSベースの通信用のデータに対してCRSトーンを再使用するステップと
をさらに備える、請求項9に記載の方法。
【請求項１３】
送信の間にギャップを設けるステップをさらに備え、前記CRSが前記ギャップの中で送信される、
請求項9に記載の方法。
【請求項１４】
基地局におけるワイヤレス通信のための装置であって、
セル固有基準信号(CRS)をユーザ機器(UE)へ送信するための帯域幅を決定するための手段であって、前記帯域幅がシステム帯域幅よりも小さい、手段と、
前記決定された帯域幅を使用して前記CRSを前記UEへ送信するための手段であって、前記UEが、監視下のリソースブロックのセット上で前記CRSを求めて監視し、前記帯域幅が、監視下のリソースブロックの前記セットに基づいて決定される、手段と
を備える装置。
【請求項１５】
請求項1から7および9から13のうちのいずれか一項に記載の方法を少なくとも1つのコンピュータに実行させるための実行可能命令を備えるコンピュータプログラム。
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
アップリンク制御チャネル構成の指示を受信するステップと、
ダウンリンク部分、第1のアップリンク部分、および第2のアップリンク部分を有する送信時間間隔(TTI)の前記第1のアップリンク部分の間の送信のためのアップリンク制御情報(UCI)を特定するステップであって、前記第1のアップリンク部分が前記第2のアップリンク部分より長い時間長を有する、ステップと、
前記アップリンク制御チャネル構成に従って前記TTIの前記第1のアップリンク部分または前記第2のアップリンク部分の間に前記UCIを送信するステップとを備える、方法。
【請求項２】
ユーザ機器(UE)能力の指示を送信するステップをさらに備え、前記アップリンク制御チャネル構成の前記指示が、前記UE能力に少なくとも一部基づく、請求項1に記載の方法。
【請求項３】
前記第1のアップリンク部分内での前記UCIの送信のためのホッピングパターンを決定するステップであって、前記ホッピングパターンが、前記UCIのペイロードサイズに少なくとも一部基づいてホッピングパターンのセットから選択される、ステップと、
前記ホッピングパターンのための復調基準信号(DMRS)に対するシンボルインデックスを決定するステップであって、前記シンボルインデックスが、ホッピングパターンの前記セットの各ホッピングパターンに対して同じ値を備える、ステップとをさらに備える、請求項1に記載の方法。
【請求項４】
前記アップリンク制御チャネル構成を有するアップリンク制御チャネルの少なくとも一部分が、前記TTIの前記ダウンリンク部分と前記第1のアップリンク部分との間のギャップ期間の少なくとも一部分と重複する、請求項1に記載の方法。
【請求項５】
前記アップリンク制御チャネル構成が、前記ギャップ期間の間にUEを多重化するための第1のコードと、前記TTIの前記第1のアップリンク部分の間にUEを多重化するための第2のコードとを備える、請求項4に記載の方法。
【請求項６】
前記UCIを送信するステップが、
前記TTIの前記第1のアップリンク部分の間に前記UCIの第1の部分を、前記TTIの前記第2のアップリンク部分の間に第2の部分を送信するステップを備える、請求項1に記載の方法。
【請求項７】
前記指示を受信するステップが、
物理レイヤメッセージを介して、あるいはシステム情報ブロック(SIB)または無線リソース制御(RRC)シグナリングを介して、前記指示を受信するステップを備える、請求項1に記載の方法。
【請求項８】
前記物理レイヤメッセージが、物理制御フォーマットインジケータチャネル(PCFICH)または物理ダウンリンク制御チャネル(PDCCH)のうちの少なくとも1つを備える、請求項7に記載の方法。
【請求項９】
前記物理レイヤメッセージが、UE固有のPDCCHメッセージまたは共通のPDCCHメッセージを備える、請求項7に記載の方法。
【請求項１０】
前記アップリンク制御チャネル構成が、PDCCHによって占有される前記TTIの前記ダウンリンク部分のシンボルの数もしくは前記TTIの前記第2のアップリンク部分のシンボルの数、またはこれらの両方に少なくとも一部基づく、請求項7に記載の方法。
【請求項１１】
前記指示が、前記アップリンク制御チャネル構成の直交周波数分割多重化(OFDM)シンボルの数、前記TTIの前記第1のアップリンク部分のOFDMシンボルの数、前記TTIの前記第2のアップリンク部分のOFDMシンボルの数、または前記TTIの前記ダウンリンク部分のOFDMシンボルの数、またはこれらの任意の組合せを示す、請求項1に記載の方法。
【請求項１２】
ワイヤレス通信のための方法であって、
アップリンク制御チャネル構成の指示を送信するステップと、
ダウンリンク部分、第1のアップリンク部分、および第2のアップリンク部分を有する送信時間間隔(TTI)の前記第1のアップリンク部分または前記第2のアップリンク部分の間の前記アップリンク制御チャネル構成に従ってアップリンク制御情報(UCI)を受信するステップとを備え、前記第1のアップリンク部分が前記第2のアップリンク部分より長い時間長を有する、方法。
【請求項１３】
ワイヤレス通信のための装置であって、
アップリンク制御チャネル構成の指示を受信するための手段と、
ダウンリンク部分、第1のアップリンク部分、および第2のアップリンク部分を有する送信時間間隔(TTI)の前記第1のアップリンク部分または前記第2のアップリンク部分の間の送信のためのアップリンク制御情報(UCI)を特定するための手段であって、前記第1のアップリンク部分が前記第2のアップリンク部分より長い時間長を有する、手段と、
前記アップリンク制御チャネル構成に従って前記TTIの前記第1のアップリンク部分または前記第2のアップリンク部分の間に前記UCIを送信するための手段とを備える、装置。
【請求項１４】
ワイヤレス通信のための装置であって、
アップリンク制御チャネル構成の指示を送信するための手段と、
ダウンリンク部分、第1のアップリンク部分、および第2のアップリンク部分を有する送信時間間隔(TTI)の前記第1のアップリンク部分または前記第2のアップリンク部分の間の前記アップリンク制御チャネル構成に従ってアップリンク制御情報(UCI)を受信するための手段とを備え、前記第1のアップリンク部分が前記第2のアップリンク部分より長い時間長を有する、装置。
【請求項１５】
少なくとも1つのプロセッサ上で実行されると、請求項1〜12のいずれか一項に記載の方法を前記プロセッサに実行させる命令を備えるコンピュータプログラム。
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器(UE)が、1つまたは複数のサウンディング基準信号(SRS)パターンの情報を受信するステップと、
前記UEが、前記情報に基づいて、1つまたは複数のレートマッチングパラメータを生成するステップと、
前記UEが、前記情報に基づいて、1つまたは複数のSRSリソースを識別するステップであって、前記1つまたは複数のレートマッチングパラメータが、前記1つまたは複数のSRSリソースを示す1つまたは複数のSRSパターンを含む、ステップと、
前記UEが、前記生成された1つまたは複数のレートマッチングパラメータに基づいて、アップリンク信号を送信するステップと
を含み、
前記アップリンク信号が、前記識別された1つまたは複数のSRSリソース内で送信され、
前記アップリンク信号が、物理アップリンク共有チャネル(PUSCH)信号または物理アップリンク制御チャネル(PUCCH)信号である、方法。
【請求項２】
前記UEが、前記情報に基づいて、1つまたは複数のSRSリソースを識別するステップ
をさらに含み、
前記アップリンク信号が、前記識別された1つまたは複数のSRSリソースを避けて送信される
請求項1に記載の方法。
【請求項３】
前記識別された1つまたは複数のSRSリソースが、半静的にまたは独立して構成される、請求項2に記載の方法。
【請求項４】
前記UEが、前記生成された1つまたは複数のレートマッチングパラメータに基づいて、前記アップリンク信号に対してレートマッチングを実行するステップ
をさらに含む、請求項1に記載の方法。
【請求項５】
前記UEが、前記生成された1つまたは複数のレートマッチングパラメータに基づいて、前記アップリンク信号をパンクチャリングするステップ
をさらに含む、請求項1に記載の方法。
【請求項６】
前記アップリンク信号が、1個のシンボルから14個のシンボルまでの持続時間を有するPUSCHチャネルである、請求項1に記載の方法。
【請求項７】
少なくとも1つの別のUEがSRSを送信するようにスケジュールされているとき、前記アップリンク信号が送信される、請求項1に記載の方法。
【請求項８】
前記アップリンク信号が、別のUEのSRS送信によって使用されたリソース内で、前記UEが送信したことを示す通知を含む、請求項7に記載の方法。
【請求項９】
ワイヤレス通信の方法であって、
ユーザ機器(UE)が、1つまたは複数のレートマッチングパラメータを受信するステップと、
前記UEが、前記受信された1つまたは複数のレートマッチングパラメータに基づいて、前記UEが1つまたは複数のサウンディング基準信号(SRS)リソース内でアップリンク信号を送信するようにスケジュールされていないと判定するステップと、
前記UEが、前記1つまたは複数のレートマッチングパラメータに基づいて、1つまたは複数のSRSリソースを識別するステップであって、前記1つまたは複数のレートマッチングパラメータが、前記1つまたは複数のSRSリソースを示す1つまたは複数のSRSパターンを含む、ステップと、
前記UEが、前記判定に基づいて、アップリンク信号を送信するステップと
を含み、
前記アップリンク信号が、前記識別された1つまたは複数のSRSリソースを避けて送信され、
前記アップリンク信号が、物理アップリンク共有チャネル(PUSCH)信号または物理アップリンク制御チャネル(PUCCH)信号である、方法。
【請求項１０】
前記UEが、前記1つまたは複数のレートマッチングパラメータに基づいて、前記アップリンク信号に対してレートマッチングを実行するステップ
をさらに含む、請求項9に記載の方法。
【請求項１１】
前記UEが、前記1つまたは複数のレートマッチングパラメータに基づいて、前記アップリンク信号をパンクチャリングするステップ
をさらに含む、請求項9に記載の方法。
【請求項１２】
少なくとも1つの別のUEがSRSを送信するようにスケジュールされているとき、前記アップリンク信号が送信される、請求項9に記載の方法。
【請求項１３】
前記アップリンク信号が、別のUEのSRS送信によって使用されたリソース内で、前記UEが送信したことを示す通知を含む、請求項12に記載の方法。
【請求項１４】
ワイヤレス通信のための装置であって、
信号を受信するように構成された受信機と、
信号を送信するように構成された送信機と、
命令を記憶するように構成されたメモリと、
前記受信機、前記送信機、および前記メモリと通信可能に結合された少なくとも1つのプロセッサと
を備え、前記少なくとも1つのプロセッサが、
前記受信機を介して、1つまたは複数のサウンディング基準信号(SRS)パターンの情報を受信し、
前記情報に基づいて、1つまたは複数のレートマッチングパラメータを生成し、
前記情報に基づいて、1つまたは複数のSRSリソースを識別し、
前記送信機を介して、前記生成された1つまたは複数のレートマッチングパラメータに基づいて、アップリンク信号を送信する
ための命令を実行するように構成され、
前記1つまたは複数のレートマッチングパラメータが、前記1つまたは複数のSRSリソースを示す1つまたは複数のSRSパターンを含み、
前記アップリンク信号が、前記識別された1つまたは複数のSRSリソース内で送信され、
前記アップリンク信号が、物理アップリンク共有チャネル(PUSCH)信号または物理アップリンク制御チャネル(PUCCH)信号である、装置。
【請求項１５】
ワイヤレス通信のための装置であって、
信号を受信するように構成された受信機と、
信号を送信するように構成された送信機と、
命令を記憶するように構成されたメモリと、
前記受信機、前記送信機、および前記メモリと通信可能に結合された少なくとも1つのプロセッサと
を備え、前記少なくとも1つのプロセッサが、
前記受信機を介して、1つまたは複数のレートマッチングパラメータを受信し、
前記受信された1つまたは複数のレートマッチングパラメータに基づいて、前記装置が1つまたは複数のサウンディング基準信号(SRS)リソース内でアップリンク信号を送信するようにスケジュールされていないと判定し、
前記1つまたは複数のレートマッチングパラメータに基づいて、前記1つまたは複数のSRSリソースを識別し、
前記送信機を介して、前記判定に基づいて、アップリンク信号を送信する
ための命令を実行するように構成され、
前記1つまたは複数のレートマッチングパラメータが、前記1つまたは複数のSRSリソースを示す1つまたは複数のSRSパターンを含み、
前記アップリンク信号が、前記識別された1つまたは複数のSRSリソース内で送信され、
前記アップリンク信号が、物理アップリンク共有チャネル(PUSCH)信号または物理アップリンク制御チャネル(PUCCH)信号である、装置。
【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
ワイヤレス・センサから出力されたデータを監視するためのシステムであって、
ワイヤレス・ゲートウェイと、
前記ワイヤレス・ゲートウェイに結合された増幅器と、
前記増幅器に結合された第１アンテナと、
前記増幅器に結合された第２アンテナと、
ワイヤレス・センサと、
を備え、
前記ワイヤレス・ゲートウェイがメッシュ・ネットワークのコンポーネントであり、
前記ワイヤレス・センサが材料についての１つ以上の特性を測定するように構成され、
前記材料および前記ワイヤレス・センサが、第１の場所から、該第１の場所とは異なる第２の場所に一緒に輸送され、
前記ワイヤレス・センサが輸送されるときに、前記ワイヤレス・センサが、前記ワイヤレス・ゲートウェイとの間で直接および連続接続を維持する、システム。
【請求項２】
請求項１記載のシステムにおいて、前記第１アンテナが建物の第１レベルに位置し、前記第２アンテナが前記建物の第２レベルに位置し、前記第２レベルが前記第１レベルよりも高い高度である、システム。
【請求項３】
請求項１記載のシステムであって、更に、第１スプリッタと、第２スプリッタと、第３スプリッタとを備える、システム。
【請求項４】
請求項３記載のシステムにおいて、前記第１スプリッタが前記増幅器に結合され、前記第２スプリッタが前記第１スプリッタに結合され、前記第３スプリッタが前記第１スプリッタに結合される、システム。
【請求項５】
請求項４記載のシステムにおいて、前記第１アンテナが前記第２スプリッタに結合され、前記第２アンテナが前記第３スプリッタに結合される、システム。
【請求項６】
請求項５記載のシステムであって、更に、前記第２スプリッタに結合された第３アンテナと、前記第２スプリッタに結合された第４アンテナとを備える、システム。
【請求項７】
請求項５記載のシステムであって、更に、前記第３スプリッタに結合された第５アンテナと、前記第３スプリッタに結合された第６アンテナとを備える、システム。
【請求項８】
請求項１記載のシステムにおいて、前記増幅器が、固定増幅器、または前記増幅器の増幅を調節するように構成された可変増幅器である、システム。
【請求項９】
請求項２記載のシステムにおいて、前記第1アンテナが、前記建物の第１レベル上における第１エレベータ・ロビーに位置し、前記第２アンテナが、前記建物の第２レベル上における第２エレベータ・ロビーに位置する、システム。
【請求項１０】
請求項６記載のシステムにおいて、前記第３アンテナが、建物の第１レベル上における第１部屋内に位置し、前記第４アンテナが、前記第１部屋と、前記建物の第１レベル上における第１エレベータ・ロビーとの間にある位置に位置する、システム。
【請求項１１】
請求項７記載のシステムにおいて、前記第５アンテナが、建物の第２レベル上における第２部屋内に位置し、前記第６アンテナが、前記第２部屋と前記建物の第２レベル上にある第２エレベータ・ロビーとの間にある位置に位置する、システム。
【請求項１２】
請求項１記載のシステムにおいて、前記ワイヤレス・センサが、（ｉ）凍結保存材料産物の温度を測定する、（ｉｉ）前記凍結保存材料産物の温度に関連するデータを表示する、および（ｉｉｉ）前記データを送信する、の内１つ以上を行うように構成されたワイヤレス温度センサである、システム。
【請求項１３】
請求項１２記載のシステムにおいて、前記ワイヤレス・ゲートウェイが、前記ワイヤレス温度センサから送信されたデータを、既定の時間間隔で受信するように構成される、システム。
【請求項１４】
請求項１３記載のシステムにおいて、前記規定の時間間隔が、ほぼ１６秒毎である、システム。
【請求項１５】
請求項１２記載のシステムにおいて、前記凍結保存材料産物および前記ワイヤレス温度センサが、第１部屋から第２部屋に、第１エレベータ・ロビーから第２エレベータ・ロビーまでのエレベータによって、一緒に輸送される、システム。
【請求項１６】
請求項１３記載のシステムにおいて、少なくとも１つのプロセッサが、前記ワイヤレス・ゲートウェイが前記ワイヤレス温度センサからデータを、前記既定の時間間隔以内に受信したか否か判定するように構成される、システム。
【請求項１７】
ワイヤレス・センサから出力されたデータを監視するための機器であって、
ワイヤレス・ゲートウェイと、
前記ワイヤレス・ゲートウェイに結合された増幅器と、
前記増幅器に結合されたスプリッタと、
前記スプリッタに結合された第１アンテナと、
前記スプリッタに結合された第２アンテナと、
を備え、
前記第１アンテナおよび前記第２アンテナが、ワイヤレス・センサから信号を受信するように構成され、
前記ワイヤレス・ゲートウェイが、既存のメッシュ・ネットワークのコンポーネントであり、
前記ワイヤレス・センサが材料についての１つ以上の特性を測定するように構成され、
前記材料および前記ワイヤレス・センサが、第１の場所から、該第１の場所とは異なる第２の場所に一緒に輸送され、
前記ワイヤレス・センサが輸送されるときに、前記ワイヤレス・センサが、前記ワイヤレス・ゲートウェイとの間で直接および連続接続を維持する、機器。
【請求項１８】
請求項１７記載の機器において、前記第１アンテナが建物の第１レベル上に位置し、前記第２アンテナが前記建物の第２レベル上に位置し、前記第２レベルが前記第１レベルよりも高い高度にある、機器。
【請求項１９】
請求項１８記載の機器において、前記第１アンテナが、第１同軸ケーブルを介してスプリッタに結合され、前記第２アンテナが第２同軸ケーブルを介して前記スプリッタに結合される、機器。
【請求項２０】
ワイヤレス・センサから出力されたデータを監視するための方法であって、
ワイヤレス・ゲートウェイを設けるステップと、
増幅器を前記ワイヤレス・ゲートウェイに結合するステップと、
スプリッタを前記増幅器に結合するステップと、
第１アンテナを前記スプリッタに結合するステップと、
第２アンテナを前記スプリッタに結合するステップと、
を含み、
前記第１アンテナおよび前記第２アンテナが、ワイヤレス・センサからの信号を受信するように構成され、
前記ワイヤレス・ゲートウェイが既存のメッシュ・ネットワークのコンポーネントであり、
前記ワイヤレス・センサが材料についての１つ以上の特性を測定するように構成され、
前記材料および前記ワイヤレス・センサが、第１の場所から、該第１の場所とは異なる第２の場所に一緒に輸送され、
前記ワイヤレス・センサが輸送されるときに、前記ワイヤレス・センサが、前記ワイヤレス・ゲートウェイとの間で直接および連続接続を維持する、方法。
【請求項２１】
請求項２０記載の方法であって、更に、前記第１アンテナを建物の第１レベルに配置し、前記第２アンテナを前記建物の第２レベルに配置するステップを含み、前記第２レベルが前記第１レベルよりも高い高度である、方法。
【請求項２２】
請求項１記載のシステムにおいて、前記システムが、更に、当該システムのデータ収集点に配線された定点センサを備える、システム。